(57)【要約】  【課題】  リモコン撮影が可能なカメラ装置においてリモコンで早送り／早戻しの操作を可能とするカメラ装置を提供する。  【解決手段】  動画と静止画撮影と記録が可能なカメラ装置であって、撮影時の操作モード項目選択と選定、及び再生画像の早送り／早戻しの入力を行うカメラ本体に設けられたジョグダイヤル４０と、リモコン信号にて撮影時の操作モード項目選択と設定、及び再生画像の早送り／早戻し等の入力を行うジョグボタンを備えたリモコン送信部３１と、ジョグダイヤル４０の操作速度に応じて撮影時の操作モード項目選択と設定、及び再生画像の早送り／早戻し等の反応動作の速度を可変制御すると共に、リモコン送信部のジョグボタンの操作オン時間に応じて撮影時の操作モード項目選択と設定、及び再生画像の早送り／早戻し等の反応動作の速度を可変制御する動作制御手段を備えたカメラ装置。  【選択図】  図１
2006279292.tif 000002
【特許請求の範囲】
【請求項１】
被写体の動画あるいは静止画の撮影が可能で、撮影した動画あるいは静止画の画像信号を記録媒体に記録すると共に、記録された画像信号を基に撮影画像を再生表示するカメラ装置であって、
被写体の撮影時に設定する複数の操作モード項目の選択と選定、及び撮影記録した画像の再生時に再生画像の早送り／早戻し等の入力を行うカメラ本体に設けられたジョグダイヤル手段と、
前記カメラ本体に対してリモートコントロール信号が送信可能で、前記被写体の撮影時に設定する複数の操作モード項目の選択と設定、及び再生時の再生画像の早送り／早戻し等の入力を行うジョグボタンを備えたリモートコントロール送信手段と、
前記ジョグダイヤルの操作速度に応じて前記撮影時の複数の操作モード項目の選択と設定、及び再生時の再生画像の早送り／早戻し等の反応動作の速度を可変制御すると共に、前記リモートコントロール送信手段のジョグボタンの操作オン時間に応じて前記撮影時の複数の操作モード項目の選択と設定、及び再生時の再生画像の早送り／早戻し等の反応動作の速度を可変制御する動作制御手段と、
を具備することを特徴としたカメラ装置。
【請求項２】
前記動作制御手段は、前記撮影時に設定する複数の操作モード項目量及び再生時の再生画像量に応じて、前記リモートコントロール送信手段のジョグボタンの操作オン時間による反応動作の速度を変化させることを特徴とした請求項１記載のカメラ装置。
【請求項３】
前記動作制御手段は、前記リモートコントロール送信手段のジョグボタンの操作オン時間に応じる前記撮影時の複数の操作モード項目の選択と設定、及び再生時の再生画像の早送り／早戻し等の反応動作の速度を任意に設定することを特徴とした請求項１記載のカメラ装置。
【発明の詳細な説明】
【技術分野】
【０００１】
本発明は、被写体の動画あるいは静止画の撮影が可能で、撮影した画像信号を記録媒体に記録し、記録された画像信号を基に撮影画像を再生表示が可能なカメラ装置に関し、カメラ装置の複数の操作モード項目の選択と設定、被写体の撮影操作、及び撮影した画像信号の再生操作がリモートコントロール可能なカメラ装置に関する。
【背景技術】
【０００２】
近年の電子機器は、ユーザの好みに応じた操作や動作ができるように複数の操作や動作モードが設定できるようになっている。ユーザが操作や動作モードを設定できる電子機器は、操作表示パネルに複数の操作や動作モードの項目を表示させ、その表示させた操作や動作モードの項目をスクロールさせて所望の操作や動作モード項目の選択と選定が行われるようになっている。
【０００３】
操作表示パネルに表示されている複数の操作や動作モードの項目を上下左右にスクロールさせるために、上下左右スクロールキーが備えられているが、スクロールキーによる操作や動作モードの項目のスクロールに時間が係り操作が煩雑である。このために、操作や動作モードの選択操作用のジョグダイヤルが設けられ、ジョグダイヤルの操作速度に応じて操作や動作モードの項目のスクロールの速度を可変にすることが行われている。
【０００４】
このジョグダイヤルを用いて操作や動作モード項目の選択や設定を行う電子機器の操作装置が特許文献１に提案されている。特許文献１に提案されている操作装置は、複写機を例としており、複写の行う際に事前設定する例えば、倍率、用紙サイズ、複写枚数、ガイドメッセージ等を表示する表示部に各種複写操作モード項目を表示させ、表示した操作モード項目の中から好みのモード項目を選択設定するもので、ジョグダイヤルにて表示部に表示されている複数の複写操作モードの項目をスクロールさせる。例えば、複写モード項目が選択されると、拡大または縮小の倍率が表示されて、所望の倍率をジョグダイヤルにて選択したり、あるいは、ズーム変倍モードの際にズーム変倍率を１％刻みで任意に設定する。
【０００５】
すなわち、特許文献１の操作装置は、ジョグダイヤルの回転方向、回転量、回転速度を検出し、検出した回転方向、回転量、回転速度により表示部に表示された複数の複写操作モード項目のスクロールする方向、量、速度を設定するものである。
【特許文献１】特開２００２−７３２６５号公報
【発明の開示】
【発明が解決しようとする課題】
【０００６】
特許文献１に提案されている操作装置は、複数の操作モードの中からジョグダイヤルを操作した回転方向、回転量、回転速度から操作モード項目を選択するためのスクロール方向、スクロール量、スクロール速度が設定されるために、所望の操作モード項目の選択が速やかに行えると共に、選択した操作モード項目のレベル設定もジョグダイヤルの継続操作により設定できるために、操作モード項目の選択と設定が迅速に行える。
【０００７】
複数の操作モード項目を有する電子機器として、カメラ装置がある。カメラ装置は、被写体を動画あるいは静止画として撮影し、その撮影した動画あるいは静止画の画像信号を生成して記録媒体に記録すると共に、記録された画像信号を基に撮影画像を再生表示する。カメラ装置は、撮影する被写体に応じて最適な撮影の操作モード項目を選択して設定する必要があり、かつ、記録媒体に記録した撮影画像信号を再生する際に、所望の撮影場面を迅速に検索できることが望まれる。このために、被写体撮影時の操作モード項目の選択と設定、及び再生時の撮影画像の早送り／早戻しにジョグダイヤルを用いることが行われている。
【０００８】
一方、カメラ装置は、ユーザが手に持って操作するとは限らず、例えば、カメラ装置を三脚に取り付けて、ユーザよりも高い位置から被写体を撮影したり、また、撮影時の手ぶれを防ぐために、ユーザが手を触れることなく撮影するリモートコントロール撮影、及び撮影された撮影画像信号をテレビ受像機等に転送してテレビ画面に拡大表示させて再生する際の撮影画像の再生、停止、早送り／早戻し等のリモートコントロール再生等を行うリモートコントロール操作が可能となっている。
【０００９】
しかし、リモートコントロール撮影時の操作モード項目の選択と設定、及びリモートコントロール再生時の早送り／早戻しは、カメラ装置自体のジョグダイヤルを用いて事前の選択と設定、及び早送り／早戻しを行った後にリモートコントロール操作が行われるために、操作が煩雑となる課題がある。特にリモートコントロール撮影時には、撮影位置と被写体の関係から撮影時の操作モード項目の選択と設定が求められることから最適な撮影の操作モード項目の選択が煩雑となり撮影チャンスを逃す課題があった。
【課題を解決するための手段】
【００１０】
本発明のカメラ装置は、被写体の動画あるいは静止画の撮影が可能で、撮影した動画あるいは静止画の画像信号を記録媒体に記録すると共に、記録された画像信号を基に撮影画像を再生表示するカメラ装置であって、被写体の撮影時に設定する複数の操作モード項目の選択と選定、及び撮影記録した画像の再生時に再生画像の早送り／早戻し等の入力を行うカメラ本体に設けられたジョグダイヤル手段と、前記カメラ本体に対してリモートコントロール信号が送信可能で、前記被写体の撮影時に設定する複数の操作モード項目の選択と設定、及び再生時の再生画像の早送り／早戻し等の入力を行うジョグボタンを備えたリモートコントロール送信手段と、前記ジョグダイヤルの操作速度に応じて前記撮影時の複数の操作モード項目の選択と設定、及び再生時の再生画像の早送り／早戻し等の反応動作の速度を可変制御すると共に、前記リモートコントロール送信手段のジョグボタンの操作オン時間に応じて前記撮影時の複数の操作モード項目の選択と設定、及び再生時の再生画像の早送り／早戻し等の反応動作の速度を可変制御する動作制御手段と、を具備することを特徴としている。
【００１１】
本発明のカメラ装置の前記動作制御手段は、前記撮影時に設定する複数の操作モード項目量及び再生時の再生画像量に応じて、前記リモートコントロール送信手段のジョグボタンの操作オン時間による反応動作の速度を変化させることを特徴としている。
【００１２】
本発明のカメラ装置の前記動作制御手段は、前記リモートコントロール送信手段のジョグボタンの操作オン時間に応じる前記撮影時の複数の操作モード項目の選択と設定、及び再生時の再生画像の早送り／早戻し等の反応動作の速度を任意に設定することを特徴としている。
【発明の効果】
【００１３】
本発明のカメラ装置は、撮影時の操作モード項目の選択と設定、及び再生時の撮影画像の早送り／早戻しがリモートコントロール操作にて行うことができ、かつ、操作モード項目の選択と設定、及び撮影画像の早送り／早戻しがリモートコントロール送信手段に設けられたジョグボタンの操作オン時間により反応速度が可変されてカメラ装置の操作性と迅速性が向上する効果を有する。
【発明を実施するための最良の形態】
【００１４】
以下、図面を参照して本発明の実施の形態について詳細に説明する。本発明の実施形態のカメラ装置について、図１乃至図５を用いて説明する。図１は本発明の実施形態のカメラ装置の概要構成を示すブロック図、図２は本発明の実施形態のカメラ装置の外観構成を示し、図２（ａ）は正面斜視図、図２（ｂ）は背面斜視図、図３は本発明の実施形態のカメラ装置に附帯する機能を示し、図３（ａ）リモートコントロール送信部の外観構成を示す平面図、図３（ｂ）はジョグダイヤルの構成を示す平面図、図４は本発明の実施形態のカメラ装置におけるリモートコントロールによる操作モード項目の設定及び画像の早送り／早戻し等の操作を説明する説明図、図５は本発明の実施形態のカメラ装置の操作モード項目の設定及び画像の早送り／早戻し等の作用を説明するフローチャートである。
【００１５】
最初に、本発明の実施形態のカメラ装置の外観構成について、図２を用いて説明する。カメラ装置は、動画と静止画の撮影が可能なものである。カメラ本体３１の正面には、図２（ａ）に示すように、被写体光を取り込む光学レンズ３２、静止画撮影時に操作するシャッターボタン３３、赤外線によるリモートコントロール信号（以下、リモコン信号と称する）を受光するリモートコントロール受光部（以下、リモコン受光部と称する）３４が設けられている。カメラ本体３１の背面には、図２（ｂ）に示すように、動画撮影時に操作する動画録画ボタン３９、後述する撮影時に設定する各種操作モード項目の選択と設定及び録画した画像の再生時の早送り／早戻し等に用いるジョグダイヤル４０、ＯＫ／方向ボタン４１、カメラ本体３１の各種操作モード項目を読み出すメニューボタン４２、動画と静止画の撮影モードと動画と静止画の再生モードを切り換えるモードレバー４３、着脱自在の半導体記録媒体、例えば、ＳＤカードを保護するＳＤカードカバー４４、光学レンズ３２のズーム操作と電気的な撮影画像のズーム操作を行うズームレバー４５が設けられている。更に、カメラ本体３１の側面には、モニター部３７と、モニター部３７にてオン／オフされる電源ボタン４６が設けられている。モニター部３７は、カメラ本体３１の側面に回動自在に取り付けられ、非撮影時にはカメラ本体３１の側面に収納され、撮影時にはカメラ本体３１の側面から立ち上げられて約３６０度回動されるようになっている。電源ボタン４６は、モニター部３７がカメラ本体３１の側面に収納された際に、モニター部３７にてスイッチオフされ、モニター部３７が立ち上げられるとスイッチオンされる位置に設けられている。なお、モニター部３７は、撮影時に設定する操作モード項目を表示したり、撮影被写体像や撮影後の再生画像を表示する液晶表示パネル（以下、ＬＣＤと称する）１７と、撮影時に録音した音声を再生時に音声出力させるスピーカ３８とが組み込まれている。
【００１６】
ジョグダイヤル４０は、図３（ｂ）に示すように、略ドーナツ状の円環形状に形成されてユーザにより時計方向と反時計方向に回転可能である。ジョグダイヤル４０の内周には、上下と左右方向の矢印と中央部にＯＫ文字が表記された円形状のＯＫ／方向ボタン４１が設けられている。ＯＫ／方向ボタン４１は、モニター部３７のＬＣＤ１７に表示された複数の操作モード項目をジョグダイヤル４０にてスクロールさせて、所望の操作モード項目を選択設定するときにＯＫ表示部を押下することで操作モード項目の選択が行われる。ＯＫ／方向ボタン４１の上下左右方向を示す矢印は、撮影時には上矢印側を押下するとフォーカス調整、下矢印側を押下すると撮影シーン設定、右矢印側を押下すると露出補正、左矢印側を押下するとフラッシュモード設定、あるいは撮影画像の再生時には、上矢印側を押下すると再生、下矢印側を押下すると停止、右矢印側を押下すると早送り、左矢印側を押下すると早戻し等の操作が行われる。
【００１７】
カメラ本体３１をリモートコントロール操作するリモートコントロール送信部（以下、リモコン送信部と称する）５１について、図３（ａ）を用いて説明する。リモコン送信部５１は、カメラ本体３１のシャッタボタン３３と同じ静止画撮影用のシャッタボタン５２、カメラ本体３１の動画録画ボタン３９と同じ動画撮影用の動画録画ボタン５３、カメラ本体３１のズームレバー４５のＴ側と同じズームＴボタン５４Ｔ、ズームレバー４５のＷ側と同じズームＷボタン５４Ｗ、カメラ本体３１のＯＫ／方向ボタン４１の上下左右方向と同じ方向ボタン５５Ｕ，５５Ｄ，５５Ｒ，５５ＬとＯＫと同じＯＫボタン５６、カメラ本体３１のメニューボタン４２と同じメニューボタン５７、カメラ本体３１のモードレバー４３の撮影時の動画と静止画の撮影モードを選択する録画モードボタン５８と再生時の再生モードボタン５９、カメラ本体３１のジョグダイヤル４０の右方向回転と同じ回転操作を行う右ジョグボタン（右ＪＯＧボタンと称する）６０Ｒと、左方向回転と同じ回転操作を行う左ジョグボタン（左ＪＯＧボタンと称する）６０Ｌが設けられている。
【００１８】
リモコン送信部５１は、複数のボタン５２〜６０をユーザが押下してオンすると、押下されてオンしたボタンに応じたリモコン信号がカメラ本体３１のリモコン受光部３４へと送信される。
【００１９】
次に、カメラ本体３１の内部構成について図１を用いて説明する。カメラ本体３１の光学レンズ３２の焦点位置には、図示してないが被写体光を電気信号に変換する固体撮像素子であるＣＣＤ等が設けられ、ＣＣＤにて電気信号に変換されたアナログ撮像信号を所定のアナログ信号処理を行い、かつ、デジタル撮像信号に変換される。
【００２０】
カメラ本体３１には、ＣＣＤにより電気信号に変換されて、かつデジタル変換されたデジタル撮像信号が入力される入力端子１１を有する信号処理部１２、信号処理部１２にて所定のデジタル信号処理されたデジタル撮像信号をＪＰＥＧ／ＭＰＥＧ形式による圧縮と符号化処理してデジタル撮像データを生成したり、かつ、デジタル撮像データの伸張と復号化処理してデジタル撮像信号を生成するＪＰＥＧ／ＭＰＥＧ圧縮／伸張処理部１３、ＪＰＥＧ／ＭＰＥＧ圧縮／伸張処理部１３で処理されたデジタル撮像データを一時記憶するメモリ部１４、信号処理部１２にて生成されたデジタル撮像信号、あるいはメモリ部１４に一時記録されＪＰＥＧ／ＭＰＥＧ圧縮／伸張処理部１３にて伸張と復号されたデジタル撮像信号を復調するビデオ復調部１５、ビデオ復調部１５にて復調された撮像信号を基に撮影された被写体像を表示するＬＣＤ１７を駆動制御するＬＣＤ制御部１６、メモリ部１４に一時記憶されたデジタル撮像データを記録する大記録容量のハードディスク（以下、ＨＤＤと称する）１９、メモリ部１４に一時記憶されたデジタル撮像データを記録する比較的大記録容量の半導体記録素子の例えばＳＤカード等のメモリカード２０、ＨＤＤ１９あるいはメモリカード２０に記録されたデジタル撮像データをＬＡＮ伝送によりパーソナルコンピュータ等の他の電子機器に転送するＬＡＮ制御部２１、ＨＤＤ１９あるいはメモリカード２０に記録されたデジタル撮像データをＵＳＢ伝送によりパーソナルコンピュータ等の電子機器に転送するＵＳＢ制御部２２、前述した各種信号処理部１２〜２２とバス３０を介して接続されたマイクロコンピュータ（以下、マイコンと称する）２５、マイコン２５に対してユーザが各種操作入力を行う入力キー部２６とジョグダイヤル４０及びリモコン受光部３４から構成されている。ビデオ復調部１５には、テレビ受像機に復調した撮像信号を出力するためのビデオ出力端子１８が設けられている。なお、入力キー部２６は、図２に示すジョグダイヤル４０を除く複数のボタン３３、３９、４１，４２，４３，４５，４６等が含まれる。
【００２１】
このような構成のカメラ装置は、被写体の撮影時には、モニター部３７を図２（ｂ）に示すように、被写体に光学レンズ３２を向けると共に、モニター部３７を立ち上げてＬＣＤ１７をユーザから視認できるように回動して設置する。モニター部３７が立ち上げられると電源ボタン４６がオンされてカメラ本体３１の各種信号回路部１２〜２２、２５，３４が動作する。
【００２２】
動画を撮影する場合は、ユーザは、カメラ本体３１のモードボタン４２を撮影モード側にスライドさせて撮影モードに設定する。次に、モニター部３７に表示される被写体像を見ながら動画録画ボタン３９を押下オンすると動画撮影が開始され、再度動画録画ボタン３９を押下オンすると動画撮影が終了する。この動画録画ボタンの最初の押下オンから次の押下オンの間に動画の撮影記録が行われる。
【００２３】
静止画を撮影する場合は、ユーザは、モードボタン４２を撮影モード側にスライドさせて撮影モードに設定する。次に、モニター部３７に表示される被写体の構図を決めてから、シャッタボタン３３を押下して静止画像の撮影を行う。このシャッタボタン３３の押下した時点の被写体像が静止画として撮影記録される。
【００２４】
この撮影モードにおけるカメラ本体３１の各種信号処理回路部１２〜２２，２５，３４の動作について説明する。撮影モードにおいて、動画撮影のために動画録画ボタン３９が押下オンされると、マイコン２５は、バス３０を介して、図示してないＣＣＤとＣＣＤからの出力信号を処理するアナログ信号処理部とアナログ／デジタル変換器等を駆動制御して、光学レンズ３２からの被写体像をＣＣＤにて電気信号に変換させ、変換した電気信号にアナログ信号処理部にて所定の信号処理を施してアナログ動画信号が生成する。アナログ動画信号は、アナログ／デジタル変換部にて、デジタル動画信号に変換されて、入力端子１１から信号処理部１２に供給される。信号処理部１２は、マイコン２５の制御の基で、入力端子１１に供給されたデジタル動画信号に対して所定の色差補正、輪郭補正、及びγ補正等のデジタル信号処理を施してＪＰＥＧ／ＭＰＥＧ圧縮／伸張処理部１３へと供給する。ＪＰＥＧ／ＭＰＥＧ圧縮／伸張処理部１３は、マイコン２５の制御の基で、デジタル信号処理されたデジタル動画信号をＭＰＥＧ方式による圧縮と符号化されたデジタル動画データを生成してメモリ部１４に一時記憶させる。
【００２５】
メモリ部１４に一時記憶されたデジタル動画データは、マイコン２５の制御の基で、メモリ部１４から読み出し、読み出したデジタル動画データをＪＰＥＧ／ＭＰＥＧ圧縮／伸張処理部１３にて伸張と復号化処理してデジタル動画信号を生成してビデオ復調部１５に供給する。ビデオ復調部１５は、供給されたデジタル動画信号を復調処理してＬＣＤ制御部１６を介してＬＣＤ１７に撮影中の被写体像を表示させる。このＬＣＤ１７に表示される被写体像によりユーザは、動画撮影時の録画画像を確認する。
【００２６】
更に、マイコン２５は、メモリ部１４に一時記憶されたデジタル動画データをＨＤＤ１９、あるいはメモリカード２０に所定のファィル形式により記録させる。
【００２７】
撮影モードにおいて、静止画撮影のためにシャッタボタン３３が押下されると、マイコン２５は、バス３０を介して、図示してないＣＣＤからシャッタボタン３３が押下オンされた時点の電気信号を取り出させて、アナログ信号処理部にて所定の信号処理を施してアナログ静止画信号が生成させる。アナログ静止画信号は、アナログ／デジタル変換部にて、デジタル静止画信号に変換されて、入力端子１１から信号処理部１２に供給される。信号処理部１２は、マイコン２５の制御の基で、入力端子１１に供給されたデジタル静止画信号に対して所定の色差補正、輪郭補正、及びγ補正等のデジタル信号処理を施してＪＰＥＧ／ＭＰＥＧ圧縮／伸張処理部１３へと供給する。ＪＰＥＧ／ＭＰＥＧ圧縮／伸張処理部１３は、マイコン２５の制御の基で、デジタル信号処理されたデジタル静止画信号をＪＰＥＧ方式による圧縮と符号化されたデジタル静止画データを生成してメモリ部１４に一時記憶させる。
【００２８】
メモリ部１４に一時記憶されたデジタル静止画データは、マイコン２５の制御の基で、メモリ部１４から読み出し、読み出したデジタル静止画データをＪＰＥＧ／ＭＰＥＧ圧縮／伸張処理部１３にて伸張と復号化処理しデジタル静止画信号を生成してビデオ復調部１５に供給する。ビデオ復調部１５は、供給されたデジタル静止画信号を復調処理してＬＣＤ制御部１６を介してＬＣＤ１７に撮影した静止画像を表示させる。このＬＣＤ１７に表示される静止画像によりユーザは、静止画撮影した静止画像の確認を行う。
【００２９】
更に、マイコン２５は、メモリ部１４に一時記憶されたデジタル静止画像データをＨＤＤ１９、あるいはメモリカード２０に所定のファィル形式により記録させる。
【００３０】
次に、ＨＤＤ１９あるいはメモリカード２０に記録されたデジタル動画データ、あるいはデジタル静止画データによりＬＣＤ１７、あるいはビデオ出力端子１８からテレビ受像機に撮影画像を表示させる再生動作について説明する。
【００３１】
ＨＤＤ１９あるいはメモリカード２０に記録されているデジタル動画データを基に動画再生を行う場合は、モードレバー４３を動画再生モード側にスライドさせる。マイコン２５の制御によりＨＤＤ１９あるいはメモリカード２０に記憶されているデジタル動画データの最後に撮影されたシーンのデジタル動画データを読み出して、メモリ部１４に一時記憶させる。メモリ部１４に一時記憶されたデジタル動画データは、マイコン２５の制御によりＪＰＥＧ／ＭＰＥＧ圧縮／伸張処理部１３にてＭＰＥＧ方式の伸張と復号化処理が行われてデジタル動画信号が生成される。そのデジタル動画信号は、ビデオ復調部１５にて復調処理された復調信号がＬＣＤ制御部１６に供給する。ＬＣＤ制御部１６は、ビデオ復調部１５からの復調信号の基で、ＬＣＤ１７の駆動を制御して撮像動画像を表示させる。また、ビデオ復調部１５のビデオ出力端子１８からテレビ受像機へと復調信号を出力する。
【００３２】
ＬＣＤ１７に表示されている動画像の早送り／早戻しを行う際には、ジョグダイヤル４０を回転させると早送り／早戻しが行われ、所望の画像位置でジョグダイヤル４０の回転を停止させて、ＯＫ／方向ボタン４１の上方向矢印を押下すると所望の動画位置からの再生が開始される。
【００３３】
また、静止画像の再生時には、前述した動画の再生と基本的には同じであり、モードレバー４３を静止画再生モード側にスライドさせると、マイコン２５の制御によりＨＤＤ１９あるいはメモリカード２０に記憶されているデジタル静止画データの最後に撮影されたシーンのデジタル静止画データを読み出して、メモリ部１４に一時記憶させる。メモリ部１４に一時記憶されたデジタル静止画データは、マイコン２５の制御によりＪＰＥＧ／ＭＰＥＧ圧縮／伸張処理部１３にてＪＰＥＧ方式の伸張と復号化処理が行われてデジタル静止画信号が生成させる。そのデジタル静止画信号は、ビデオ復調部１５にて復調処理された復調信号がＬＣＤ制御部１６に供給する。ＬＣＤ制御部１６は、ビデオ復調部１５からの復調信号の基で、ＬＣＤ１７の駆動を制御して撮像静止画像を表示させる。また、ビデオ復調部１５のビデオ出力端子１８からテレビ受像機へと復調信号を出力する。
【００３４】
ＬＣＤ１７に表示されている静止画像を早送り／早戻しを行う際には、ジョグダイヤル４０を回転させると静止画の早送り／早戻しが行われ、所望の静止画の位置でジョグダイヤル４０の回転を停止させると所望の静止画像が表示される。
【００３５】
また、カメラ本体３１は、撮影時には、撮影シーンの設定、フラッシュの設定、フォーカスの設定、露出の補正、撮影メニューの設定、セルフタイマーの設定、動画の画質の設定、静止画のサイズの設定、静止画の画質の設定、連続撮影の設定、撮影感度の変更、撮像データの記録先のＨＤＤ１９とメモリカード２０の選定等の撮影のための多くの操作モード項目に応じた設定がジョグダイヤル４０、ＯＫ／方向ボタン４１、メニューボタン４２を用いて行われる。つまり、ＯＫ／方向ボタン４１の方向キーとメニューボタン４２の押下によりマイコン２５は、ＬＣＤ１７に前述した複数の操作モード項目のリストを表示させる。ＬＣＤ１７に表示された操作モード項目は、ジョグダイヤル４０の回転によりスクロールされるようにマイコン２５にて制御されている。ジョグダイヤル４０の回転によりＬＣＤ１７にスクロール表示されている操作モード項目から所望の操作モード項目が表示されるとＯＫ／方向ボタン４１を押下して所望の操作モード項目の選択が行われる。ＯＫ／方向ボタン４１にて所望の操作モード項目が選択されると、選択された操作モード項目の詳細設定項目が表示される。その詳細設定項目をジョグダイヤル４０にてスクロールあるいは項目選択してＯＫ／方向ボタン４１にて所望の詳細項目の設定を行う。
【００３６】
すなわち、ジョグダイヤル４０は、撮影時に設定する操作モード項目から所望の操作モード項目を選択する際に、ＬＣＤ１７に表示された操作モード項目をジョグダイヤル４０の正転及び逆転操作によりスクロールさせることができるために迅速に所望の操作モード項目が探索できる。また、ジョグダイヤル４０は、再生時に、長時間あるいは複数の動画シーンが撮影された複数のデジタル動画データから所望の動画シーンを検索したり、あるいは複数のデジタル静止画データから所望の静止画像を検索したりする際に、ＬＣＤ１７に表示されている動画像あるいは静止画像の早送りや早戻しが行え、所望の動画シーンあるいは静止画像の検索が迅速に行える。特に、ジョグダイヤル４０の回転方向、回転量、回転速度を検出させて、スクロールの方向、スクロールの量、スクロールの速度を可変にすることができる。つまり、ユーザは、操作モード項目の量、あるいは、ＨＤＤ１９やメモリカード２０に記録されているデジタル動画データやデジタル静止画データの量に応じて、ジョグダイヤル４０の回転速度を早くしたり遅くしたりしてＬＣＤ１７に表示される操作モード項目、動画像や静止画像のスクロール速度である早送り／早戻しの速度を調整することにより所望の操作モード項目、所望の撮影場面の検索を効率的に行うことができる。
【００３７】
一方、リモコン送信部５１には、カメラ本体３１に備えられている電源ボタン４６に以外の各種ボタンとレバー３３，３４，３９，４０，４１，４３、４５に相当するボタン５２〜６０が設けられている。リモコン送信部５１は、押下されたボタン５２〜６０に応じたリモコン信号がカメラ本体３１のリモコン受光部３４へ送信される。リモコン受光部３４にて受光されたリモコン信号は、マイコン２５に入力される。マイコン２５は、リモコン受光部３４からのリモコン信号に応じて各種信号処理回路１２〜２２の動作の制御と、操作モード項目の設定、動画や静止画の撮影動作、及び撮影済みの動画や静止画の再生動作の制御を行う。
【００３８】
しかし、リモコン送信部５１には、ジョグダイヤル４０と同じダイヤルを設けることができないために、ジョグダイヤル４０の右回転と左回転の回転を指示する右ＪＯＧボタン６０Ｒと左ＪＯＧボタン６０Ｌが設けられている。つまり、リモコン送信部３１の右ＪＯＧボタン６０Ｒが押下されている間はジョグダイヤル４０を右回転させると同じ赤外線リモコン信号が出力され、左ＪＯＧボタン６０Ｌが押下されている間はジョグダイヤル４０を左回転させると同じリモコン信号が出力される。
【００３９】
この右ＪＯＧボタン６０Ｒと左回転ボタン２０Ｌが押下されている間は、マイコン２５は、ジョグダイヤル４０を右、あるいは左に回転させた場合と同じようにＬＣＤ１７に表示されている操作モード項目、あるいは、撮影されている動画や静止画の早送り／早戻しの制御を行う。リモコン送信部５１の右ＪＯＧボタン６０Ｒと左ＪＯＧボタン６０Ｌは、ジョグダイヤの４０のように回転速度を変化させることができない。そのために、マイコン２５は、リモコン送信部５１からのリモコン信号によるスクロール速度は一定に制御することになる。これにより、多くの操作モード項目から所望の操作モード項目を選択するまでに多くの時間を要し、撮影チャンスを逃すことがある。また、大量の撮影済み動画や静止画データから所望の場面の動画や静止画を検索する際にも多くの時間がかかることになる。
【００４０】
そこで、本発明のカメラ装置は、リモコン送信部５１からの右ＪＯＧボタン６０Ｒと左ＪＯＧボタン６０Ｌによるリモコン信号により、ＬＣＤ１７に表示される操作モード項目のスクロール速度や再生表示画像の早送り／早戻し速度を可変させる動作制御手段をマイコン２５に設けたことによりユーザの利便性や操作性の向上を図っている。
【００４１】
動作制御手段は、マイコン２５にリモコン送信部５１の右ＪＯＧボタン６０Ｒと左ＪＯＧボタン６０Ｌの押下オン時間によりスクロールや早送り／早戻しの反応速度を変化させるものである。動作制御手段は、図４に示すように、横軸に時間Ｔ、縦軸にスクロール速度あるいは早送り／早戻し速度である反応速度Ｖとして、リモコン送信部５１の右ＪＯＧボタン６０Ｒまたは左ＪＯＧボタン６０Ｌが押下オンされた時間Ｔ０から時間Ｔａの期間Ａは、反応速度Ｖが比較的遅い速度Ａに設定し、時間Ｔａが過ぎて時間Ｔｂまでの期間Ｂは、反応速度Ｖは速度Ａよりも速い速度Ｂに設定し、時間Ｔｂが過ぎて時間Ｔｃ以上の期間Ｃは、反応速度Ｖは速度Ｂよりも速い速度Ｃに設定する。つまり、リモコン送信部５１の右ＪＯＧボタン６０Ｒまたは左ＪＯＧボタン６０Ｌの押下オンされている時間、すなわちＪＯＧボタン６０によるリモコン信号が出力されている時間の経過に応じて反応速度を速くするように制御する。これにより、多くの操作モード項目から所望の項目の探索や、大量の動画や静止画像のデータから所望の場面の映像の探索が迅速に行える。
【００４２】
次に、動作制御手段の動作について、図５のフローチャートを用いて説明する。なお、動作制御手段の説明は、カメラ本体３１が再生モードに設定されて、ＬＣＤ１７に表示されている録画済み動画の再生における早送りの例を用いて説明する。
【００４３】
マイコン２５は、リモコン送信部５１から送信されたリモコン信号を受光したリモコン受光部３４が復調したリモコン信号が入力されると、ステップＳ１にてリモコンによるカメラ本体３１の動作制御が開始される。マイコン２５は、ステップＳ２にてリモコン送信部５１から送信されてリモコン受光部３４にて復調されたリモコン信号が、リモコン送信部５１のＪＯＧボタン６０が操作オンされたリモコン信号であるか判断する。ステップＳ２において、リモコン送信部５１のＪＯＧボタン６０を操作オンしたリモコン信号ではないと判断されると、マイコン２５は、ステップＳ３にてＪＯＧボタン６０の操作オンの連続性を示す連続フラグをＯＦＦにして、押下されている時間Ｔを零クリアして処理を終了する。
【００４４】
ステップＳ２において、リモコン送信部５１のＪＯＧボタン６０の操作リモコン信号であると判断されると、マイコン２５は、ステップＳ４にてＪＯＧボタン６０の操作オンの連続性を示す連続フラグがＯＮであるか判断する。ステップＳ４にて、ＪＯＧボタン６０の操作オンの連続性を示す連続フラグがＯＮではなく、ＯＦＦであると判断されると、マイコン２５は、ステップＳ５にてＪＯＧボタン６０の操作オンの連続性を示す連続フラグをＯＮにすると共に、速度ＡにてＬＣＤ１７に表示されている再生動画の場面から早送り動作させ、かつ、時間Ｔを速度Ａによる早送りを開始した時間Ｔ０に設定して時間カウントを行いステップＳ４へと戻る。
【００４５】
ステップＳ４において、ＪＯＧボタン６０の操作オンの連続性を示す連続フラグがＯＮであると判断されると、マイコン２５は、ステップＳ６にてカウントされている時間Ｔは、速度Ａによる早送りさせる期間Ａの時間Ｔａを経過したか判断する。ステップＳ６において、カウントされた時間Ｔは、速度Ａの期間Ａの時間Ｔａを経過してないと判断されると、マイコン２５は、ステップＳ７にて速度Ａの時間Ｔを早送り開始時間Ｔ０から継続カウントしてステップＳ４に戻る。
【００４６】
ステップＳ６において、カウントされた時間Ｔは、速度Ａの期間Ａの時間Ｔａを経過していると判断されると、マイコン２５は、ステップＳ８にてカウントされている時間Ｔは、期間Ｂによる早送りさせる期間Ｂの時間Ｔｂを経過したか判断される。ステップＳ８において、カウントされた時間Ｔは、期間Ｂの時間Ｔｂを経過してないと判断されると、マイコン２５は、ステップＳ９にて早送りの速度を速度Ａから速度Ｂへと変更して、経過時間Ｔをさらにカウントを継続してステップＳ４に戻る。
【００４７】
ステップＳ８において、カウントされた時間Ｔは、期間Ｂの時間Ｔｂを経過していると判断されると、マイコン２５は、ステップＳ１０にて早送り速度Ｂを速度Ｃに変更すると共に、カウントしている時間Ｔを継続してカウントする。
【００４８】
次に、マイコン２５は、ステップＳ１１にて、ＪＯＧボタン６０の押下オンが終了して、リモコン送信部５１からのＪＯＧボタン６０のリモコン信号の入力が停止されたか判断し、継続してＪＯＧボタン６０のリモコン信号が入力されているとステップＳ４へと戻る。
【００４９】
ステップＳ１１において、ＪＯＧボタン６０の押下オンの操作が終了、つまりＪＯＧボタン６０がオフされてＪＯＧボタン６０のリモコン信号の入力が停止したと判断されると、マイコン２５は、ステップＳ１２にて所望の動画場面がＬＣＤ１７に表示されたと判断して早送りの動作を終了する。
【００５０】
このように、リモコン送信部５１のＪＯＧボタン６０が押下されている時間、つまり、ＪＯＧボタン６０による早送りリモコン信号の送信継続時間を基に所定の経過時間により段階的に早送り速度を早くするように制御する。これにより、録画済みの動画データ量が比較的少ない場合は、早送り速度を遅い状態で早送り動作が行え、録画済みの動画データ量が大量になると早送り開始から段階的に早送り速度を速くすることで、早期に所望の場面検索が可能となる。
【００５１】
なお、上記説明は、録画済みの動画像の早送りによる所望場面の検索を例としているが、早戻しの場合も同じであり、録画済みの静止画像の早送りや早戻しも同じ動作にて実行できる。更に、カメラ本体３１の撮影に当たり設定する複数の操作モード項目の選択操作、及び各操作モード項目毎の条件設定にも用いることができる。
【００５２】
なお、前述において、早送りの開始から３段階の経過時間により３段階の速度可変の例を説明したが、早送り／早戻しの画像データ量や操作モード項目量が少ない場合は、一定速度または２段階の変換としたり、早送り／早戻しの画像データ量と操作モード項目量に応じてユーザが速度設定できるようにすることも可能である。
【図面の簡単な説明】
【００５３】
【図１】本発明の実施形態のカメラ装置の概要構成を示すブロック図。
【図２】本発明の実施形態のカメラ装置の外観構成を示し、図２（ａ）は正面斜視図、図２（ｂ）は背面斜視図。
【図３】本発明の実施形態のカメラ装置に附帯する機能を示し、図３（ａ）リモートコントロール送信部の外観構成を示す平面図、図３（ｂ）はジョグダイヤルの構成を示す平面図。
【図４】本発明の実施形態のカメラ装置におけるリモートコントロールによる操作モード項目の設定及び画像の早送り／早戻し等の操作を説明する説明図。
【図５】本発明の実施形態のカメラ装置の操作モード項目の設定及び画像の早送り／早戻し等の作用を説明するフローチャート。
【符号の説明】
【００５４】
１１…入力端子、１２…信号処理部、１３…ＪＰＥＧ／ＭＰＥＧ圧縮／伸張部、１４…メモリ部、１５…ビデオ復調部、１６…ＬＣＤ制御部、１７…液晶表示パネル（ＬＣＤ）、１８…Ｓ端子、１９…ハードディス（ＨＤＤ）、２０…メモリカード、２１…ＬＡＮ制御部、２２…ＵＳＢ制御部、２５…マイクロコンピュータ、２６…入力キー部、３４…リモコン受光部、４０…ジョグダイヤル。  
代理人  弁理士  伊藤  進
【図１】
2006279292.tif 000003
【図２】
2006279292.tif 000004
【図３】
2006279292.tif 000005
【図４】
2006279292.tif 000006
【図５】
2006279292.tif 000007